【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
スタックされた導波管アセンブリであって、
第１の導波管であって、前記第１の導波管は、
第１の波長における光を光分散要素の第１の層の中に結合するように構成されている、内部結合光学要素の第１の層であって、前記光分散要素は、波長選択的領域を含む、内部結合光学要素の第１の層と、
内部結合された光を前記内部結合光学要素の第１の層から受信し、前記第１の波長にない前記内部結合された光を前記第１の波長における内部結合された光に対して減衰させるように構成されている、前記波長選択的領域の第１の層であって、
前記光分散要素の第１の層は、前記第１の波長における内部結合された光を前記波長選択的領域の第１の層の外に結合するように構成されている、前記波長選択的領域の第１の層と、
前記第１の波長における内部結合された光を前記光分散要素の第１の層から受信し、前記内部結合された光を前記第１の導波管の外に結合するように構成されている、外部結合光学要素の第１の層と
を含む、第１の導波管と、
第２の導波管であって、前記第２の導波管は、
第２の波長における光を前記光分散要素の第２の層の中に結合するように構成されている、前記内部結合光学要素の第２の層であって、前記第２の波長は、前記第１の波長と異なる、前記内部結合光学要素の第２の層と、
内部結合された光を前記内部結合光学要素の第２の層から受信し、前記第２の波長にない前記内部結合された光を前記第２の波長における内部結合された光に対して減衰させるように構成されている、前記波長選択的領域の第２の層であって、
前記光分散要素の第２の層は、前記第２の波長における内部結合された光を前記波長選択的領域の第２の層の外に結合するように構成されている、前記波長選択的領域の第２の層と、
前記第２の波長における内部結合された光を前記光分散要素の第２の層から受信し、前記内部結合された光を前記第２の導波管の外に結合するように構成されている、前記外部結合光学要素の第２の層と
を含む、第２の導波管と
を含む、スタックされた導波管アセンブリ。
【請求項２】
前記波長選択的領域の第１の層は、第１のカラーフィルタを含み、前記波長選択的領域の第２の層は、第２のカラーフィルタを含み、前記第１のカラーフィルタは、前記第２の波長における光を減衰させるように構成されており、前記第２のカラーフィルタは、前記第１の波長における光を減衰させるように構成されている、請求項１に記載のスタックされた導波管アセンブリ。
【請求項３】
前記第１のカラーフィルタまたは前記第２のカラーフィルタは、染料、着色剤、色素、立体光学フィルタ、またはダイクロイックフィルタを含む、請求項２に記載のスタックされた導波管アセンブリ。
【請求項４】
前記波長選択的領域の第１の層は、第１の電子的に切替可能な領域を含み、前記波長選択的領域の第２の層は、第２の電子的に切替可能な領域を含む、請求項１に記載のスタックされた導波管アセンブリ。
【請求項５】
前記第１の電子的に切替可能な領域および前記第２の電子的に切替可能な領域を電子的に制御し、前記スタックされた導波管アセンブリ内の光を変調するように構成されている、コントローラをさらに含む、請求項４に記載のスタックされた導波管アセンブリ。
【請求項６】
前記コントローラは、前記光分散要素の第１の層内の光を変調するように前記第１の電子的に切替可能な領域を切り替え、前記光分散要素の第２の層内の光を変調しないように前記第２の電子的に切替可能な領域を切り替えるように構成されている、請求項５に記載のスタックされた導波管アセンブリ。
【請求項７】
前記コントローラは、前記第１の電子的に切替可能な領域および前記第２の電子的に切替可能な領域を電子的に制御し、前記内部結合された光を操向し、視野を拡張させるように構成されている、請求項５に記載のスタックされた導波管アセンブリ。
【請求項８】
前記波長選択的領域の第１の層は、前記第１の波長にない光の屈折率を改変するように構成されている、または、前記波長選択的領域の第２の層は、前記第２の波長にない光の屈折率を改変するように構成されている、請求項１に記載のスタックされた導波管アセンブリ。
【請求項９】
前記波長選択的領域の第１の層または第２の層は、偏光器を含む、請求項１に記載のスタックされた導波管アセンブリ。
【請求項１０】
前記第１の波長は、色の第１の下位色と関連付けられ、前記第２の波長は、前記色の第２の下位色と関連付けられ、前記第２の下位色は、前記第１の下位色と異なる、請求項１に記載のスタックされた導波管アセンブリ。
【手続補正２】
【補正対象書類名】明細書
【補正対象項目名】００１０
【補正方法】変更
【補正の内容】
【００１０】
本明細書に説明される主題の１つ以上の実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本発明は、例えば、以下を提供する。
（項目１）
導波管であって、
光を前記導波管の中に結合するように構成されている内部結合光学要素であって、前記光は、第１の波長および前記第１の波長と等しくない第２の波長を含む、内部結合光学要素と、
光を前記内部結合光学要素から受信し、全内部反射を介して、光を伝搬するように構成されている光分散要素であって、前記光分散要素は、前記第２の波長における内部結合された光を前記第１の波長における内部結合された光に対して減衰させるように構成されている波長選択的領域を含む、光分散要素と、
光を前記光分散要素から受信し、前記第１の波長における光を前記導波管から外部結合するように構成されている外部結合光学要素と
を含む、導波管。
（項目２）
前記内部結合光学要素は、格子を含む、項目１に記載の導波管。
（項目３）
前記波長選択的領域は、染料、着色剤、色素、ダイクロイックフィルタ、またはブラッグ格子を含む、項目１に記載の導波管。
（項目４）
前記内部結合光学要素は、波長選択的フィルタを含まない、項目１に記載の導波管。
（項目５）
前記外部結合光学要素は、波長選択的フィルタを含まない、項目１に記載の導波管。
（項目６）
前記波長選択的領域は、電子的に切替可能な領域を含む、項目１に記載の導波管。
（項目７）
前記電子的に切替可能な領域をオン状態とオフ状態との間で切り替えるように構成されている、コントローラをさらに含む、項目６に記載の導波管。
（項目８）
前記波長選択的領域は、ポリマー分散液晶格子を含む、項目１に記載の導波管。
（項目９）
前記光分散要素は、回折光学要素を含む、項目１に記載の導波管。
（項目１０）
前記回折光学要素は、格子、ホログラム、または切替可能な回折光学要素を含む、項目９に記載の導波管。
（項目１１）
スタックされた導波管アセンブリであって、
第１の導波管であって、前記第１の導波管は、
第１の波長における光を光分散要素の第１の層の中に結合するように構成されている、内部結合光学要素の第１の層であって、前記光分散要素は、波長選択的領域を含む、内部結合光学要素の第１の層と、
内部結合された光を前記内部結合光学要素の第１の層から受信し、前記第１の波長にない前記内部結合された光を前記第１の波長における内部結合された光に対して減衰させるように構成されている、前記波長選択的領域の第１の層であって、
前記光分散要素の第１の層は、前記第１の波長における内部結合された光を前記波長選択的領域の第１の層から外部結合するように構成されている、前記波長選択的領域の第１の層と、
前記第１の波長における内部結合された光を前記光分散要素の第１の層から受信し、前記内部結合された光を前記第１の導波管から外部結合するように構成されている、外部結合光学要素の第１の層と
を含む、第１の導波管と、
第２の導波管であって、前記第２の導波管は、
第２の波長における光を前記光分散要素の第２の層の中に結合するように構成されている、前記内部結合光学要素の第２の層であって、前記第２の波長は、前記第１の波長と異なる、前記内部結合光学要素の第２の層と、
内部結合された光を前記内部結合光学要素の第２の層から受信し、前記第２の波長にない前記内部結合された光を前記第２の波長における内部結合された光に対して減衰させるように構成されている、前記波長選択的領域の第２の層であって、
前記光分散要素の第２の層は、前記第２の波長における内部結合された光を前記波長選択的領域の第２の層から外部結合するように構成されている、前記波長選択的領域の第２の層と、
前記第２の波長における内部結合された光を前記光分散要素の第２の層から受信し、前記内部結合された光を前記第２の導波管から外部結合するように構成されている、前記外部結合光学要素の第２の層と
を含む、第２の導波管と
を含む、スタックされた導波管アセンブリ。
（項目１２）
前記波長選択的領域の第１の層は、第１のカラーフィルタを含み、前記波長選択的領域の第２の層は、第２のカラーフィルタを含み、前記第１のカラーフィルタは、前記第２の波長における光を減衰させるように構成されており、前記第２のカラーフィルタは、前記第１の波長における光を減衰させるように構成されている、項目１１に記載のスタックされた導波管アセンブリ。
（項目１３）
前記第１のカラーフィルタまたは前記第２のカラーフィルタは、染料、着色剤、色素、立体光学フィルタ、またはダイクロイックフィルタを含む、項目１２に記載のスタックされた導波管アセンブリ。
（項目１４）
前記波長選択的領域の第１の層は、第１の電子的に切替可能な領域を含み、前記波長選択的領域の第２の層は、第２の電子的に切替可能な領域を含む、項目１１に記載のスタックされた導波管アセンブリ。
（項目１５）
前記第１の電子的に切替可能な領域および前記第２の電子的に切替可能な領域を電子的に制御し、前記スタックされた導波管アセンブリ内の光を変調するように構成されている、コントローラをさらに含む、項目１４に記載のスタックされた導波管アセンブリ。
（項目１６）
前記コントローラは、前記第１の電子的に切替可能な領域を切り替え、前記光分散要素の第１の層内の光を変調し、前記第２の電子的に切替可能な領域を切り替え、前記光分散要素の第２の層内の光を変調しないように構成されている、項目１５に記載のスタックされた導波管アセンブリ。
（項目１７）
前記コントローラは、前記第１の電子的に切替可能な領域および前記第２の電子的に切替可能な領域を電子的に制御し、前記内部結合された光を操向し、視野を拡張させるように構成されている、項目１５に記載のスタックされた導波管アセンブリ。
（項目１８）
前記波長選択的領域の第１の層は、前記第１の波長にない光の屈折率を改変するように構成されている、または、前記波長選択的領域の第２の層は、前記第２の波長にない光の屈折率を改変するように構成されている、項目１１に記載のスタックされた導波管アセンブリ。
（項目１９）
前記波長選択的領域の第１の層または第２の層は、偏光器を含む、項目１１に記載のスタックされた導波管アセンブリ。
（項目２０）
前記第１の波長は、色の第１の下位色と関連付けられ、前記第２の波長は、前記色の第２の下位色と関連付けられ、前記第２の下位色は、前記第１の下位色と異なる、項目１１に記載のスタックされた導波管アセンブリ。